(57)【要約】      （修正有）【課題】作業者（給餌者）が餌の供給量を簡単な操作で正確に知ることができ、したがって常時適正量の餌をペットに与えることができる構造が簡単で安価なペット用給餌器を提供する。【解決手段】電源と、該電源に接続された制御基板と、該制御基板に接続された操作パネル、表示パネル及びロードセル５と、該ロードセルに支持板６を介して支持された給餌皿４とを備え、操作パネルのスイッチ操作により電源の付勢された状態にて、給餌皿に供給した給餌量を、ロードセル及び制御基板を介して表示パネルに表示するようにした。【選択図】図２
0003164070.tif 000002
【実用新案登録請求の範囲】
【請求項１】
電源と、該電源に接続された制御基板と、該制御基板に接続された操作パネル、表示パネル及びロードセルと、該ロードセルに支持板を介して支持された給餌皿とを備え、操作パネルのスイッチ操作により電源の付勢された状態にて、給餌皿に供給した給餌量を、ロードセル及び制御基板を介して表示パネルに表示するようにして成ることを特徴とするペット用給餌器。
【請求項２】
電源の付勢された状態が、制御基板に組込まれたタイマにより一定時間後に消勢されるようにした請求項１記載のペット用給餌器。
【請求項３】
支持板に対して給餌皿が取外し可能に支持された請求項１又は２記載のペット用給餌器。
【請求項４】
給餌皿がプラスチック製のものである請求項１〜３のいずれか一つの項記載のペット用給餌器。
【考案の詳細な説明】
【技術分野】
【０００１】
本考案はペット用給餌器に関し、更に詳しくは作業者（給餌者）が餌の供給量を簡単な操作で正確に知ることができ、したがって常時適正量の餌をペットに与えることができる構造が簡単で安価なペット用給餌器に関する。
【背景技術】
【０００２】
従来、ペット用給餌器としては、給餌用の皿や容器に目盛を付けた簡単な構造のものから（例えば特許文献１及び２参照）、定期的に一定量の餌をホッパから給餌皿へ自動的に供給するようにした複雑なものまで（例えば特許文献３参照）、様々なものが知られている。
【０００３】
しかし、特許文献１や２のような従来のペット用給餌器には、構造が簡単で安価という利点がある反面、餌の大きさや形状等、更には餌の供給の仕方により、給餌量が不正確になり易いという問題がある。また特許文献３のような従来のペット用給餌器には、給餌量が正確で便利という利点がある反面、構造が複雑で操作も面倒であり、高価という問題がある。
【先行技術文献】
【特許文献】
【０００４】
【特許文献１】特開平１０−３００５５２号公報
【特許文献２】実用新案登録第３０７８６５３号公報
【特許文献３】実開平２−３１４５８号公報
【考案の概要】
【考案が解決しようとする課題】
【０００５】
本考案が解決しようとする課題は、作業者（給餌者）が餌の供給量を簡単な操作で正確に知ることができ、したがって常時適正量の餌をペットに与えることができる構造が簡単で安価なペット用給餌器を提供する処にある。
【課題を解決するための手段】
【０００６】
前記の課題を解決する本考案は、電源と、該電源に接続された制御基板と、該制御基板に接続された操作パネル、表示パネル及びロードセルと、該ロードセルに支持板を介して支持された給餌皿とを備え、操作パネルのスイッチ操作により電源の付勢された状態にて、給餌皿に供給した給餌量を、ロードセル及び制御基板を介して表示パネルに表示するようにして成ることを特徴とするペット用給餌器に係る。
【０００７】
本考案に係るペット用給餌器は、電源と、制御基板と、操作パネルと、表示パネルと、ロードセルと、支持板と、給餌皿とを備えている。電源、制御基板、操作パネル、表示パネル及びロードセルはケーシングに支持されている。制御基板は電源に接続されており、この制御基板には操作パネル、表示パネル及びロードセルが接続されていて、このロードセルには支持板を介して給餌皿が支持されている。本考案に係るペット用給餌皿は、操作パネルのスイッチ操作により電源の付勢された状態にて、作業者（給餌者）が給餌皿に供給した給餌量を、ロードセル及び制御基板を介して表示パネルに表示するようになっている。
【０００８】
電源は、乾電池や蓄電池等、いずれでもよい。制御基板にはタイマを組込んで、電源の付勢された状態が一定時間後に消勢されるようにすることもできる。この場合、操作パネルは、最も簡単には電源を入れるためのスイッチだけでよい。ロードセルは、ビーム型、コラム型、Ｓ字型、ダイヤフラム型等、いずれでもよいが、ビーム型が好ましい。給餌皿の材質は、プラスチック、金属、木材等、いずれでもよいが、軽量性及び耐用性の観点からプラスチックが好ましい。かかる給餌皿は支持板に固定することもできるが支持板に取外し可能に支持するのが好ましい。例えば、給餌皿の周縁部に鍵片を設け、支持板の周縁部に鍵穴を設けて、かかる鍵片を鍵穴に係合させるのである。このようにすると、給餌皿だけを取外して洗浄することができる。
【考案の効果】
【０００９】
本考案に係るペット用給餌器は、作業者（給餌者）が給餌量を簡単な操作で正確に知ることができ、したがって常時適正量の餌をペットに与えることができ、しかも構造が簡単で安価である。
【図面の簡単な説明】
【００１０】
【図１】本考案に係るペット用給餌器を例示する全体斜視図。
【図２】図１のＡ−Ａ線断面図。
【図３】図１のペット用給餌器における給餌皿と第２支持板との係合状態を下から見た状態で示す部分拡大図。
【図４】図１のペット用給餌器における各構成部材の接続状態を示すブロック図。
【実施例】
【００１１】
図１は本考案に係るペット用給餌器を例示する全体斜視図である。ケーシング１に操作パネル２及び表示パネル３が取付けられており、これらの操作パネル２及び表示パネル３はケーシング１の周縁部から突出された状態になっている。またかかるケーシング１の円形に形成された上部に底面が円形に形成された給餌皿４があたかも載置された状態になっていて、ケーシング１及び給餌皿４はプラスチック製のものから成っている。
【００１２】
図２は図１のＡ−Ａ線断面図である。ケーシング１にビーム型のロードセル５の一端部がネジ止めされており、ロードセル５の他端部に支持板６がネジ止めされている。ロードセル５の中央部の上面及び下面にはひずみゲージ５ａ，５ｂが取付けられており、ひずみゲージ５ａ，５ｂは後述するように制御基板７（但し、図２では図示しない）に接続されている。支持板６はロードセル５の他端部にネジ止めされた金属製の第１支持板６ａとこの第１支持板６ａ上に載置された状態でネジ止め（但し、図２ではネジ止め部を図示しない）されたプラスチック製の第２支持板６ｂとから成っている。そしてかかる支持板６、より詳しくは第２支持板６ｂ上に給餌皿４が載置された状態になっている。説明及び図示を省略するが、第１支持板６ａと第２支持板６ｂは一体型の一つのものとすることもできる。
【００１３】
図３は図１のペット用給餌器における給餌皿と第２支持板との係合状態を下から見た状態で示す部分拡大図である。給餌皿４の周縁部底面に鍵片４ａが突設されており、これに対応して第２支持板６ｂの周縁部側面に鍵穴６ｃが形成されていて、給餌皿４を第２支持板６ｂ上に載置し、鍵片４ａを鍵穴６ｃに差し入れた状態で給餌皿４を少し回転させることにより、鍵片４ａが鍵穴６ｃと係合して、給餌皿４が第２支持板６ｂに取外し可能に支持された状態になっている。
【００１４】
図４は図１のペット用給餌器における各構成部材の接続状態を示すブロック図である。電源８に制御基板７が接続されており、制御基板７に操作パネル２及び表示パネル３が接続されている。図示したペット用給餌器の場合、操作パネル２は電源を入れるための、すなわち電源８を制御基板７へ接続するためのスイッチだけになっており、その一方で制御基板７にはタイマ（但し、図示しない）が組込まれていて、かかるスイッチを操作して制御基板７へ電源８を付勢した状態が一定時間後に自動的に消勢されるようになっている。
【００１５】
制御基板７にはロードセル５が、より詳しくはロードセル５のひずみゲージ５ａ，５ｂが接続されており、ロードセル５には前記したように支持板６、すなわち第１支持板６ａ及び第２支持板６ｂを介して給餌皿４が取外し可能に支持されている。操作パネル２のスイッチ操作により電源８の付勢された状態にて、給餌皿４に餌を供給すると、これによりロードセル５が僅に撓み、ひずみゲージ５ａ，５ｂも僅に撓んで、かかる撓みによる抵抗値の変化に比例する電圧が出力され、これを制御基板７で検出して演算し、表示パネル３に給餌量をデジタル表示するようになっている。
【符号の説明】
【００１６】
１  ケーシング
２  操作パネル
３  表示パネル
４  給餌皿
５  ロードセル
６  支持板
７  制御基板
８  電源
【図１】
0003164070.tif 000003
【図２】
0003164070.tif 000004
【図３】
0003164070.tif 000005
【図４】
0003164070.tif 000006